(57)【要約】【課題】  ファイル本体から印刷物を挟持した台紙を容易に着脱自在なアルバムを提供する。該台紙は表部材に設けた窓を通して観賞可能な印刷物が挟持されている台紙であるので、台紙をファイル本体から取り外すと、台紙自体が窓枠付きの印刷物となり、壁に掛けたり、机上に立てかけたりして観賞することが可能となる。【解決手段】  表紙部の背部内面の上下両端位置にクリップ取付部を設けたファイル本体と、窓孔を打ち抜いた表部材と連続した裏部材とを２つ折りにし、窓孔を通して観賞し得るように印刷物を表裏部材間に挟持して貼り合わせた台紙であって、折り目に沿ってクリップ挿入部を形成した台紙と、ファイル本体クリップ取付部と台紙のクリップ挿入部とに跨って挿入可能なクリップとからなり、ファイル本体に台紙を着脱自在に取付けてなるアルバム。【選択図】  図４
0003110286.tif 000002
【実用新案登録請求の範囲】
【請求項１】
表紙部の背部内面の上下両端位置にクリップ取付部を設けたファイル本体と、窓孔を打ち抜いた表部材と連続した裏部材とを２つ折りにし、窓孔を通して観賞し得るように印刷物を表裏部材間に挟持して貼り合わせた台紙であって、折り目沿ってクリップ挿入部を形成した台紙と、ファイル本体クリップ取付部と台紙のクリップ挿入部とに跨って挿入可能なクリップとからなり、ファイル本体に台紙を着脱自在に取付けてなることを特徴とするアルバム。
【請求項２】
クリップ挿入部が、表裏部材が連続した１枚の芯材の折り曲げ部に形成されていることを特徴とする請求項１記載のアルバム。
【請求項３】
クリップ挿入部が、表裏２枚の芯材を表装材で連続した接続部に形成されていることを特徴とする請求項１記載のアルバム。
【請求項４】
クリップ挿入部が、表裏部及び折り込み部の３つ折りにより構成される台紙の折り込み部の折り曲げ部に形成されていることを特徴とする請求項１記載のアルバム。
【請求項５】
台紙が、２つ折りした台紙の一辺を貼着することなく開口し、該開口より印刷物を出し入れ自在にした台紙であるを特徴とする請求項１記載のアルバム。
【考案の詳細な説明】
【技術分野】
【０００１】
本考案は、クリップ取付部を設けたファイル本体と、窓孔を打ち抜いた表部材と裏部材とを２つ折りにし、窓孔を通して観賞し得るように印刷物を表裏部材間に挟持して貼り合わせた台紙とからなり、該台紙をファイル本体に着脱自在に取付けなることを特徴とするアルバムに関する。
なお、本考案でいう印刷物とは、写真、絵画、書、絵葉書等のような平板状の観賞物をいう。
【背景技術】
【０００２】
従来のアルバムは、複数枚の台紙を表裏背部からなる表紙と一体に製本し、該台紙に印刷物を貼着しており、台紙を着脱自在に取り付けることはできなかった。
また、台紙にパンチ孔を設けて、ピン止めやネジ止めによってファイル本体に綴って、台紙を増減自在にしたアルバムも存在していた。
しかしながら、これらのアルバムの台紙は、一枚の厚紙で形成され、該台紙の表裏に印刷物を貼着するか、透明なプラスチック袋に厚紙を挿入し、該袋と厚紙との間に印刷物を挿入して観賞する台紙であり、窓孔を打ち抜いた表部材と裏部材とを２つ折りにし、窓孔を通して観賞し得るように印刷物を表裏部材間に挟持して貼り合わせた台紙は存在していなかった。
【考案の開示】
【考案が解決しようとする課題】
【０００３】
本考案は、ファイル本体に着脱自在に取付けが可能な台紙であって、該台紙は表部材に設けた窓を通して観賞可能な印刷物が挟持されている台紙であるので、台紙をファイル本体から取り外すと、台紙自体が窓枠付きの印刷物となり、壁に掛けたり、机上に立てかけたりして観賞することが可能となる。
したがって、本考案は、ファイル本体から印刷物を挟持した台紙を容易に着脱自在なアルバムを提供することを課題とする。
【課題を解決するための手段】
【０００４】
上記課題を解決するために、本考案者は鋭意検討を重ねた結果、表部材に設けた窓を通して印刷物の観賞可能な台紙で、連続した表裏部材を２つ折りにし貼着し、該部材間に印刷物を挟持している台紙を、ファイル本体に着脱自在に取り付けるてなるアルバムが上記課題を解決し得ることを見い出し、本考案を完成するに到った。
即ち、本考案の第一は、表紙部の背部内面の上下両端位置にクリップ取付部を設けたファイル本体と、窓孔を打ち抜いた表部材と連続した裏部材とを２つ折りにし、窓孔を通して観賞し得るように印刷物を表裏部材間に挟持して貼り合わせた台紙であって、折り目沿ってクリップ挿入部を形成した台紙と、ファイル本体クリップ取付部と台紙のクリップ挿入部とに跨って挿入可能なクリップとからなり、ファイル本体に台紙を着脱自在に取付けてなることを特徴とするアルバム、である。
【０００５】
また、本考案の第二は、クリップ挿入部が、表裏部材が連続した１枚の芯材の折り曲げ部に形成されていることを特徴とする上記第一記載のアルバムであり、本考案の第三は、クリップ挿入部が、表裏２枚の芯材を表装材で連続した接続部に形成されていることを特徴とする上記第一記載のアルバムであり、本考案の第四は、クリップ挿入部が、表裏部及び折り込み部の３つ折りにより構成される台紙の折り込み部の折り曲げ部に形成されていることを特徴とする上記第一記載のアルバムであり、本考案の第五は、台紙が、２つ折りした台紙の一辺を貼着することなく開口し、該開口より印刷物を出し入れ自在にした台紙
であるを特徴とする上記第一記載のアルバムである。
【考案の効果】
【０００６】
本考案によれば、印刷物を挟持した台紙はファイル本体に着脱自在に設けられているので台紙の増減や取り替えが可能であり、かつ、台紙自体が窓孔を通して印刷物が観賞可能な台紙であるので、台紙がそのまま窓枠付きの飾り枠としての機能を有し、壁掛けや机上で立てかけて利用できる。
【考案を実施するための最良の形態】
【０００７】
図１に本考案に用いるクリップ付ファイル本体の概略図を示す。図１に示すように、本考案のアルバムは、表裏表紙部と両表紙部間の背部１１とで構成したファイル本体１０と、背部１１の上下内面に取付けられた綴り具２０と、印刷物を挟持する台紙と、台紙を綴り具に固定するクリップ３０、とで構成され、台紙がファイル本体に着脱自在に取り付けられているアルバムである。
以下、各部について詳細に説明する。
【０００８】
《綴り具》
綴り具２０のクリップ取付け部は、図１に示す如く、ファイル表紙体の背部１１内面の上下両端位置に一対に設けられるものであり、夫々のクリップ取付け部は、図３のクリップ取付け部の拡大図に示すように、ファイル表紙体の背部１１内面に固着される基板２１と、該基板２１左右両側縁に立設された適宜高さの支持板２２と、これら支持板２２間に架設され、適宜長さのスリット２５を設けてなる前板２３と、基板２１と支持板２２と前板２３とで形成される開口部のうち、ファイル表紙体の内側向きの開口部を閉塞する状態に設けられた底板２４とから構成されている。
図２は、ファイル本体に台紙を取付けた場合の概略図である。
【０００９】
《クリップ》
クリップ取付け部に取付けられるクリップ３０は、プラスチックを材料として略Ｕ字状を呈しており、一方のクリップ足部３１をファイル表紙体背部１１の端部側から基板２１と前板２３との隙間に差し込んで、両方のクリップ足部３１、３１にて前板２３を挟持した状態に取付けられ、他方のクリップ足部３１に台紙を掛止するものであり、一方のクリップ足部３１には差し込まれた時に前板２３のスリット２５に掛止する抜け止め用突起が設けられている。
なお、クリップ取付け部は基板２１と一体に形成しても別体に形成してもよく、また、その材質、寸法、形状、構成、クリップの材質、寸法、形状、数、構成等は、上記実施例に限定されない。
【００１０】
《台紙》
図４は、本考案のアルバム用台紙の正面図であり、図４のａ〜ｄは図４のＡ−Ａ線における断面図であり、芯材の形態およびクリップ挿入孔の構成や、形成位置が相違している。図５ａ、図５ｂ、図５ｃは、上記ａ〜ｃの折り目部分の拡大図である。
図５ａに符号４０で示すアルバム用台紙の第１の実施例では、表裏部材が連続する１枚の芯紙４１の一面を表装紙４２で覆い、表部材に印刷物観賞用の窓孔４５を打ち抜き形成し、窓孔４５の内面に印刷物Ｆを貼着し、２つ折りし、折り曲げ部近傍を残して貼着し、折り目部分を非貼着部としクリップ挿入部４６を形成する。即ち、折り目部分の非貼着部は、背部を有する折り目とし開口されてクリップが挿入可能なクリップ挿入部４６となる。
【００１１】
図５ｂに符号５０で示すアルバム用台紙の第２の実施例では、２枚の芯紙５１、５１を所定の間隔をおいて表装紙５２で覆い、２枚の芯紙５１、５１に跨って補強紙４３を貼着
し連続する表裏部材を形成する。次いで、表部材を形成する部材に観賞用の窓孔５５を打ち抜き形成し、該窓孔５５の内面に印刷物Ｆを貼着し、２つ折りし、折り目部分を除いて貼着し、芯紙間の表装紙及び補強紙にで形成される折り目部分にクリップ挿入部５６を形成する。該実施例によれば、折り目が表装紙及び補強紙にで形成され芯紙が存在しないので、第１実施例の如く、背部を有する折り目として開口を形成しなくても自然に開口が形成される。
【００１２】
図５ｃに符号６０で示すアルバム用台紙の第３実施例は、図４のｃに示す如く、１枚の台紙用紙４４を３つ折りの折り曲げ加工によって作成したものであり、台紙用紙は、クリップ挿入用の間隙を形成するための幅狭の立ち上がり部６１と、立ち上がり部の一辺に連続した折り込み部６２と、立ち上がり部の他の辺に連続した裏部材６３と、裏部材に連続し、窓孔６５が形成された表部材６４とで形成されており、窓孔の裏面に印刷物を貼着し、３つ折りにして上辺と下辺及び台紙用紙の一辺を貼着して、台紙を形成する。
【００１３】
以上の実施例では、台紙の１面にのみ窓を設けたが、芯紙に剛性がある場合には、図４のｄに示す如く、台紙の両面に窓孔を設けて印刷物２枚を背合わせにして挟持して、両面の窓孔から観賞してもよい。
また、いずれの実施例においても、窓孔の周辺を面取り４７、５７、６７して装飾効果を向上させるのが好ましい。
更に、上記の実施例においては、折り目以外の各辺は貼着して、印刷物を貼着し挟持したているが、貼着辺の一辺を非貼着として開口を形成し、該開口より印刷物を出し入れ自在に挟持しすることも好ましいことである。
また更に、台紙の折り目部分に対抗する辺の角部には、図４に示す如く、飾り金具を設けていてもよい。
なお、台紙を構成する、芯紙、表装紙等は、通常の紙に限らず、代替えできるものならばプラスチック製フィルムやジート、合成紙、布等を用いることができる。
【００１４】
次に、ファイル本体にに台紙を取付ける手順を図３によって説明する。
クリップ３０をクリップ取付け部２０に取付ける際は、基板２１に対してクリップ３１を垂直にするのではなく、斜めに傾けた状態で両方のクリップ足部にて前板２３を挟むようにし、そのまま差し込んで凸部がスリット２５の位置に至ったところで、クリップ３０を垂直に立てて凸部をスリット２５に掛止すればよい。
【図面の簡単な説明】
【００１５】
【図１】本考案に用いるクリップ付ファイル本体の概略図である。
【図２】ファイル本体に台紙を取付けた場合の概略図である。
【図３】クリップ付ファイル本体の要部拡大概略図である。
【図４】台紙の表面図であり、ａ〜ｄは図４のＡ−Ａ線における断面図である。
【図５】図４のａ〜ｃの折り目部分の拡大図である。
【符号の説明】
【００１６】
１０  ファイル本体
１１  ファイル背部
２０  綴じ具
２１  基板
２２  支持板
２３  前板
２４  底板
２５  スリット
３０  クリップ
３１  脚部
４０、５０、６０  台紙
４１、５１  芯紙
４２  表装紙
４３  補強紙
４４  台紙用紙
４５、５５、６５  窓部
４６、５６、６６  クリップ挿入部
４７、５７、６７  面取り部
６１  立ち上がり部
６２  折り曲げ部
６３  裏部材
６４  表部材
Ｆ    印刷物                                                                
【図１】
0003110286.tif 000003
【図２】
0003110286.tif 000004
【図３】
0003110286.tif 000005
【図４】
0003110286.tif 000006
【図５】
0003110286.tif 000007